(57)【特許請求の範囲】
【請求項１】
テーブルに載置される被切削材料を糸鋸を上下に駆動して切断する糸鋸盤において、上記テーブルの上面側で切粉を吸引する吸引手段と、上記テーブルの前部下面に取り付けられる箱型本体を備えた集塵アダプターとを有し、該集塵アダプターの箱型本体は上記テーブルの下面側で切粉を吸引する吸引部と、上記吸引手段が接続される吸引手段接続部と、集塵機の吸引ホースが接続可能な吸引ホース接続部とを備えていることを特徴とする糸鋸盤。
【請求項２】
集塵アダプターの吸引ホース接続部が糸鋸より前方に位置していることを特徴とする請求項１記載の糸鋸盤。
【請求項３】
吸引手段が糸鋸盤における糸鋸の上部を保持するアームの側面に形成された溝部に着脱可能に配設されていることを特徴とする請求項１又は請求項２に記載の糸鋸盤。
【発明の詳細な説明】
【０００１】
【発明の属する技術分野】
本発明は、被切削材を切削することにより生ずる切粉を集塵することができる糸鋸盤に関する。
【０００２】
【従来の技術及び発明が解決しようとする課題】
登録実用新案第３０２８０７６号は糸鋸盤の集塵装置について開示する。この集塵装置は、糸鋸が被切削材料を載せるテーブルを上下に貫通する個所の近傍に通気管の吸引口を配置し、通気管の末端を糸鋸盤の後部に開口させてなるものである。この通気管の末端に電気掃除機の吸引ホースを接続することで糸鋸の周りに発生する切粉を通気管の吸引口から排除しようとする。
【０００３】
しかし、この集塵装置では、電気掃除機の吸引ホースが糸鋸盤の後部から接続される為、作業者が糸鋸盤を壁面に接するように設置して作業しようとする場合には、吸引ホースが邪魔になる。また、糸鋸近傍から糸鋸盤の後部にかけて通気管が糸鋸盤の本体内部に配設されることから、集塵装置の組み込みが面倒である。さらに、テーブルの下面側では切粉だけでなく木端も吸引されるので、下側の通気管は特に詰まりやすく、通気管が詰まった場合には糸鋸盤の本体を分解して通気管を掃除しなければならない。
【０００４】
【課題を解決するための手段】
上記問題点を解決するため、請求項１に係る発明は、テーブル（１７）に載置される被切削材料を糸鋸（８）を上下に駆動して切断する糸鋸盤において、上記テーブル（１７）の上面側で切粉を吸引する吸引手段（２０、２０ｂ）と、上記テーブル（１７）の前部下面に取り付けられる箱型本体（４０ａ）を備えた集塵アダプター（４０）とを有し、該集塵アダプター（４０）の箱型本体（４０ａ）は上記テーブル（１７）の下面側で切粉を吸引する吸引部（４０ｂ）と、上記吸引手段（２０、２０ｂ）が接続される吸引手段接続部（４０ｃ）と、集塵機の吸引ホース（４２）が接続可能な吸引ホース接続部（４０ｄ）とを備えている糸鋸盤を採用する。
【０００５】
また、請求項２に係る発明は、集塵アダプター（４０）の吸引ホース接続部（４０ｄ）が糸鋸（８）より前方に位置している請求項１に記載の糸鋸盤を採用する。
【０００６】
また、請求項３に係る発明は、吸引手段（２０、２０ｂ）が糸鋸盤における糸鋸（８）の上部を保持するアーム（１０）の側面に形成された溝（１０ａ）に着脱可能に配設されている請求項１又は請求項２に記載の糸鋸盤を採用する。
【０００７】
【発明の実施の形態】
以下、本発明の実施の形態について図面を参照して説明する。
【０００８】
図１に示すように、この糸鋸盤は基台１を有し、該基台１内には糸鋸を駆動するためのモータ２が配置されている。モータ２の出力軸２ａの先端にはクランク軸３が取り付けられ、該クランク軸３のクランクピン４はコンロッド５を介し下摺動棒６に連結されている。クランク軸３は、クランクピン４及びクランク腕が一体化された円盤状に形成されている。下摺動棒６は上下方向にスライド可能に案内筒７を介し基台１に保持されている。モータ２が起動すると、その出力軸２ａと共にクランク軸３が回り、この回転運動がコンロッド５により下摺動棒６の上下往復スライド運動に変換される。
【０００９】
下摺動棒６の上記基台１上に突出した個所には、糸鋸８の下部を着脱自在に把持する糸鋸把持手段９が設けられている。糸鋸把持手段９は公知の機構を備えた装置であるからその詳細な説明は省略する。
【００１０】
上記基台１上における上記下摺動棒６の位置と反対側には、屈曲した固定アーム１０が取り付けられ、該固定アーム１０の水平部が基台１の真上へと伸びている。この水平部の先端には、可動アーム１１が回動可能にヒンジ１２を介し連結されている。
【００１１】
可動アーム１１の先端部には上記下摺動棒６に対向する上摺動棒１３が上下方向にスライド可能に取り付けられている。上摺動棒１３は可動アーム１１の先端部との間に介装された図１に示すスプリング１４により常時上方向に付勢されている。上摺動棒１３の下部には、糸鋸把持手段１５が設けられている。糸鋸把持手段１５は糸鋸８の上部を着脱自在に把持する、上記下側の糸鋸把持手段９と同様な公知のクランプ機構である。
【００１２】
上下摺動棒１３，６間に糸鋸把持手段１５，９により保持された糸鋸８は、モータ２の起動により下摺動棒６が下方にスライドするとスプリング１４の付勢力に抗して下降し、下摺動棒６が上方にスライドするとスプリング１４に引張られて上昇する。糸鋸８はモータ２の回転に伴いこのような上下往復スライド運動を繰り返すこととなる。
【００１３】
可動アーム１１の中間部には素材押え１６が取り付けられている。素材押え１６は糸鋸８で加工される素材を後述するテーブル１７上に押さえ付けて固定する役割を果たす。
【００１４】
可動アーム１１上の上摺動棒１３及び素材押え１６の下方には素材を載せるテーブル１７が配置されている。テーブル１７はその上面が水平になったり傾斜したりするように図示しない位置決め手段を介して基台１上に取り付けられている。テーブル１７の略中央には糸鋸８を通すための鋸通し孔１８が設けられている。
【００１５】
この糸鋸盤には、切粉を捕捉し集めるための集塵装置として、テーブル1７の上面側で切粉を吸引する吸引手段と、テーブル1７の下面に取り付けられる集塵アダプター４０と、図示しない集塵機とが設けられている。
【００１６】
吸引手段は、具体的には例えば可撓性のあるチューブからなる通気管２０で構成される。通気管２０は、図１に示すように、その一端２０ａが集塵アダプター４０に接続されている。また、通気管２０の他端２０ｂの開口２３がテーブル１７の鋸通し孔１８を糸鋸８が上方に貫通した個所すなわちテーブル１７の上面における切粉が発生する個所に対向している。この開口２３は別途成形した吸引部材をチューブの先端に取り付けることで形成することができる。通気管２０の他端２０ｂは素材押え１６を支える棒に支持されている。
【００１７】
この通気管２０は基台１上の固定アーム１０に沿うように配管され、固定アーム１０の側面に形成された溝１０ａ内に収納されると共に固定アーム１０上に一体的に形成された保持具１０ｂに保持されている。通気管２０は弾性変形することで保持具１０ｂの内側に押し込まれ固定される。
【００１８】
集塵アダプター４０は、図１乃至図３に示すように、テーブル１７の前部下面にネジ４１で固定される箱型本体４０ａを有し、この箱型本体４０ａにテーブル1７の下面側で切粉を吸引する吸引部４０ｂと、吸引手段の通気管２０が接続される吸引手段接続部４０ｃと、集塵機の吸引ホース４２が接続可能な吸引ホース接続部４０ｄとを備えている。箱型本体４０ａは図３に示すように一方向に細長く形成されており、図２に示すようにテーブル１７の下面において糸鋸８が通る鋸通し孔１８の回りの中心部からテーブル１７の前側の一隅部に至る個所を覆うようにテーブル１７の底面に取り付けられている。
【００１９】
吸引部４０ｂは、糸鋸８がテーブル１７を下方に貫通した個所を覆い、鋸引きにより発生した切粉をテーブル１７下で受け止めるようになっている。吸引部４０ｂには糸鋸８が貫通する鋸通し孔４３が形成されている。吸引手段接続部４０ｃは、箱型本体４０ａの側壁に突設され、ここに通気管２０の一端２０ａが連結されている。吸引ホース接続部４０ｄは集塵アダプター４０における糸鋸８の位置よりも前方に来るように箱型本体４０ａの底面下に突設され、ここに集塵機の吸引ホース４２が連結される。吸引ホース接続部４０ｄはより具体的には集塵アダプター４０の最前部に設けられ、そのため図１及び図２に示すように、糸鋸盤の最前部に位置することになり、吸引ホース４２は糸鋸盤の最前部側に接続されることになる。
【００２０】
集塵機は、図示しないが送風機と集塵容器とを具備した装置であり、糸鋸盤外に設置される。なお、集塵機に代えて家庭用の電気掃除機を用いてもよい。
【００２１】
この糸鋸盤によれば、モータ２の起動により糸鋸８が上下に往復直線運動を行いつつテーブル１７上の木材等の被切削材を切削する。切削に際しては予め集塵機のスイッチが入れられる。集塵機内の送風機に起動により、通気管２０及び集塵アダプター４０内が負圧になり、外気が通気管２０の開口２３、テーブル１７の鋸通し孔１８、吸引部４０ｂ等から通気管２０及び集塵アダプター４０の箱型本体４０ａ内に流入する。これにより、糸鋸８が被切削材を切削することにより発生する切粉や木端等は通気管２０の他端２０ｂの開口２３から通気管２０内に吸い込まれ、被切削材やテーブル１７上から排除される。通気管２０内に吸い込まれた切粉は通気管２０内を通って吸引手段接続部４０ｃから集塵アダプター４０内に流入する。また、テーブル１７の鋸通し孔１８等からテーブル１７下に落下する切粉や木端等は集塵アダプター４０の吸引部４０ｂに受け止められる。集塵アダプター４０の箱型本体４０ａ内に流入した切粉や木端等は吸引ホース接続部４０ｄから集塵機の吸引ホース４２内に引き込まれ、集塵容器内に回収される。
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【発明の効果】
請求項１，２に係る発明によれば、糸鋸の周りに発生した切粉をテーブルの上面側及び下面側から吸引することにより確実に除去することが出来る。また、糸鋸盤のテーブルの下面に取り付けられた集塵アダプターに集塵機の吸引ホースが接続されるので、糸鋸盤を壁面に接するように配置しても集塵機の吸引ホースが邪魔になることがない。また、糸鋸盤本体に対する集塵装置の組み込みが簡単である。さらに、テーブルの下面側からは集塵アダプターの箱型本体を介して吸引するので切粉や木端が詰まり難く集塵効率が低下することがなく、掃除も容易に行うことができる。
【００４７】
また、請求項３に係る発明によれば、吸引手段をアームの溝に着脱可能に配設したことから、吸引手段の清掃を容易に行うことができる。
【図面の簡単な説明】
【図１】本発明に係る糸鋸盤の右側面図である。
【図２】図１に示す糸鋸盤のテーブルを下方から見た図である。
【図３】集塵アダプターの斜視図である。
【符号の説明】
２…モータ
８…糸鋸
１７…テーブル
２０…通気管
２０ａ…通気管の一端
２０ｂ…通気管の他端
４０…集塵アダプター
４０ａ…箱型本体
４０ｂ…吸引部
４０ｃ…吸引手段接続部
４０ｄ…吸引ホース接続部
４２…吸引ホース
【図１】
0003604292.tif 000002
【図２】
0003604292.tif 000003
【図３】
0003604292.tif 000004